(57)【要約】ユーザ機器パラメータ決定のための方法および装置、および記録媒体および基地局を提供する。方法は、セル内の各ユーザ機器と衛星との間の最小ラウンド・トリップ・タイムを決定することと、最小ラウンド・トリップ・タイムとネットワーク側ダウンリンク無線フレームのフレーム情報とに従って、ネットワーク側アップリンク無線フレームのフレーム情報を決定することとを含み、最小ラウンド・トリップ・タイムは、ネットワーク側アップリンク無線フレームをネットワーク側ダウンリンク無線フレームより遅れさせるタイミング差であり、かつ方法は、ネットワーク側アップリンク無線フレームとネットワーク側ダウンリンク無線フレームとに基づいて各ユーザ機器のユーザ機器パラメータを決定することを含み、ユーザ機器パラメータは、ＴＡおよび／またはＫ２を含む。本発明の実施形態により提供される技術的解決法により、地上ネットワークのＵＥのソフトウェアおよびハードウェアの変更が可能なかぎり少なくされることを前提として、ＮＴＮネットワークをサポートすることができ、それにより、ソフトウェアおよびハードウェアのメンテナンス費用の増加を効率的に避けられる。【選択図】なし
2021536691.tif 000002
【特許請求の範囲】
【請求項１】
ユーザ機器（ＵＥ）パラメータ決定方法であって、
セル内の各ＵＥと衛星との間の最小ラウンド・トリップ・タイムを決定するステップと、
前記最小ラウンド・トリップ・タイムとネットワーク側ダウンリンク無線フレームのフレーム情報とに基づいてネットワーク側アップリンク無線フレームのフレーム情報を決定するステップであって、前記最小ラウンド・トリップ・タイムは、前記ネットワーク側アップリンク無線フレームを前記ネットワーク側ダウンリンク無線フレームより遅れさせるタイミング差である、ステップと、
前記ネットワーク側アップリンク無線フレームと前記ネットワーク側ダウンリンク無線フレームとに基づいて各ＵＥのＵＥパラメータを決定するステップであって、前記ＵＥパラメータは、タイミング・アドバンス（ＴＡ）とＫ２との少なくとも１つを含む、ステップと
を含む、ＵＥパラメータ決定方法。
【請求項２】
請求項１に記載のＵＥパラメータ決定方法であって、セル内の各ＵＥと衛星との間の最小ラウンド・トリップ・タイムを決定する前記ステップは、
前記セル内の各ＵＥと前記衛星との間の前記最小ラウンド・トリップ・タイムを、前記衛星の高度に基づいて決定するステップ
を含む、ＵＥパラメータ決定方法。
【請求項３】
請求項１または２に記載のＵＥパラメータ決定方法であって、前記最小ラウンド・トリップ・タイムは、タイム・スロットにより計数され、タイム・スロットについて切り下げすることにより得られるか、または、前記最小ラウンド・トリップ・タイムは、サブフレームにより計数され、サブフレームについて切り下げすることにより得られる、ＵＥパラメータ決定方法。
【請求項４】
請求項１または２に記載のＵＥパラメータ決定方法であって、前記最小ラウンド・トリップ・タイムは各ＵＥに対して透明である、ＵＥパラメータ決定方法。
【請求項５】
請求項１に記載のＵＥパラメータ決定方法であって、前記ＵＥパラメータはＴＡであり、前記ネットワーク側アップリンク無線フレームと前記ネットワーク側ダウンリンク無線フレームとに基づいて各ＵＥのＵＥパラメータを決定する前記ステップは、
各ＵＥからアップリンク信号を受信するステップと、
前記アップリンク信号と、前記ネットワーク側ダウンリンク無線フレームと、前記ネットワーク側アップリンク無線フレームとに基づいて各ＵＥのＴＡを計算するステップと
を含む、ＵＥパラメータ決定方法。
【請求項６】
請求項１に記載のＵＥパラメータ決定方法であって、ＵＥパラメータはＫ２であり、前記ネットワーク側アップリンク無線フレームと前記ネットワーク側ダウンリンク無線フレームとに基づいて各ＵＥのＵＥパラメータを決定する前記ステップは、
各ＵＥについてアップリンク・スケジューリングを行うときに、前記ネットワーク側アップリンク無線フレームと前記ネットワーク側ダウンリンク無線フレームとに基づいて各ＵＥのＫ２を計算するステップ
を含む、ＵＥパラメータ決定方法。
【請求項７】
ユーザ機器（ＵＥ）パラメータ決定装置であって、
セル内の各ＵＥと衛星との間の最小ラウンド・トリップ・タイムを決定するように構成された第１決定回路と、
前記最小ラウンド・トリップ・タイムとネットワーク側ダウンリンク無線フレームのフレーム情報とに基づいてネットワーク側アップリンク無線フレームのフレーム情報を決定するように構成された第２決定回路であって、前記最小ラウンド・トリップ・タイムは、前記ネットワーク側アップリンク無線フレームを前記ネットワーク側ダウンリンク無線フレームより遅れさせるタイミング差である、第２決定回路と、
前記ネットワーク側アップリンク無線フレームと前記ネットワーク側ダウンリンク無線フレームとに基づいて各ＵＥのＵＥパラメータを決定するように構成された第３決定回路であって、前記ＵＥパラメータはタイミング・アドバンス（ＴＡ）とＫ２との少なくとも１つを含む、第３決定回路と
を含むＵＥパラメータ決定装置。
【請求項８】
請求項７に記載のＵＥパラメータ決定装置であって、前記第１決定回路は、
前記セル内の各ＵＥと前記衛星との間の前記最小ラウンド・トリップ・タイムを、前記衛星の高度に基づいて決定するように構成された決定サブ回路
を含む、ＵＥパラメータ決定装置。
【請求項９】
請求項７または８に記載のＵＥパラメータ決定装置であって、前記最小ラウンド・トリップ・タイムは、タイム・スロットにより計数され、タイム・スロットについて切り下げすることにより得られるか、または、前記最小ラウンド・トリップ・タイムは、サブフレームにより計数され、サブフレームについて切り下げすることにより得られる、ＵＥパラメータ決定装置。
【請求項１０】
請求項７または８に記載のＵＥパラメータ決定装置であって、前記最小ラウンド・トリップ・タイムは各ＵＥに対して透明である、ＵＥパラメータ決定装置。
【請求項１１】
請求項７に記載のＵＥパラメータ決定装置であって、ＵＥパラメータはＴＡであり、前記第３決定回路は、
各ＵＥからアップリンク信号を受信するように構成された受信サブ回路と、
前記アップリンク信号と、前記ネットワーク側ダウンリンク無線フレームと、前記ネットワーク側アップリンク無線フレームとに基づいて各ＵＥの前記ＴＡを計算するように構成された第１計算サブ回路と
を含む、ＵＥパラメータ決定装置。
【請求項１２】
請求項７に記載のＵＥパラメータ決定装置であって、ＵＥパラメータはＫ２であり、前記第３決定回路は、
各ＵＥについてアップリンク・スケジューリングを行うときに、前記ネットワーク側アップリンク無線フレームと前記ネットワーク側ダウンリンク無線フレームとに基づいて各ＵＥの前記Ｋ２を計算するように構成された第２計算サブ回路
を含む、ＵＥパラメータ決定装置。
【請求項１３】
コンピュータ命令が格納された記録媒体であって、前記コンピュータ命令が実行されると、請求項１ないし６の何れかに記載の前記ユーザ機器（ＵＥ）パラメータ決定方法が行われる、記録媒体。
【請求項１４】
メモリとプロセッサとを含む基地局であって、前記メモリにはコンピュータ命令が記憶され、前記プロセッサが前記コンピュータ命令を実行したときに、請求項１ないし６の何れかに記載の前記ユーザ機器（ＵＥ）パラメータ決定方法が行われる、基地局。
【発明の詳細な説明】
【技術分野】
【０００１】
関連出願の相互参照
本出願は、２０１８年８月３１日に出願され、名称が「ユーザ機器パラメータ決定のための方法および装置、および記録媒体および基地局」である中国特許出願第２０１８１１０１２６４８．５の優先権の利益を主張するものであり、この参照によりその開示全体がここに組み込まれるものとする。
【０００２】
本開示は、一般に、ワイヤレス通信技術の分野と関連し、より具体的には、ユーザ機器（ＵＥ）のパラメータの決定のための方法および装置、および記録媒体および基地局と関連する。
【背景技術】
【０００３】
Third Generation Partnership Project（３ＧＰＰ）は、第５世代移動通信（５Ｇ）New Radio（ＮＲ）における非地上系ネットワーク（ＮＴＮ）について研究している。５Ｇ  ＮＴＮ通信の研究範囲は、主に、宇宙用ビークルである対地静止軌道衛星（ＧＥＯ）、中軌道衛星（ＭＥＯ）、低軌道衛星（ＬＥＯ）、および空中用ビークルである高高度プラットフォーム（ＨＡＰＳ）を含む。ＮＴＮ通信の主な特徴は、そのラウンド・トリップ・タイム（ＲＴＴ）が相対的に長いことであり、これは、一般に、数ミリ秒（略すとｍｓ）から数百ミリ秒の範囲である。様々なＮＴＮの配備のシナリオにおける片道遅延が表１に示されている。ＲＴＴは片道遅延の２倍である。更に、表１はまた、半径１０キロメートル（略すとｋｍ）の地上ネットワークのセルラ通信の関連するパラメータを示す。
【０００４】
【表１】
2021536691.tif 000003
【０００５】
現在、タイミング・アドバンス（ＴＡ）を、各ユーザ機器（ＵＥ）に対する特定ＴＡ部と、全てのＵＥに適用可能な固定ＴＡ部とに分割することが提案されている。全てのＵＥに適用可能な固定ＴＡ部は、システム情報を通じてＵＥへ送信することができる。また、アップリンク（ＵＬ）グラント指示情報を持つアップリンク・リソースが位置するスロットから、ＵＬグラントのリソースが位置するスロットまでの時間（略してＫ２）に関して、似た解決法が適用され得る。しかし、ＴＡやＫ２の固定部を付加するために通信プロトコルを変更する必要があるという点で、欠点がある。地上ネットワークのＵＥに関して、ＮＴＮ通信をサポートするためには、更に、関連するソフトウェアおよびハードウェアを実装（例えば、変数やアプリケーションを増加する、関連する変数の値の範囲がオーバーフローするか否かを確認するなど）する必要があり、これは、更に、関連するソフトウェアおよびハードウェアの管理ブランチのメンテナンスを必要とし、したがって、ソフトウェアおよびハードウェアのメンテナンス費用を増加させ得る。
【０００６】
したがって、ＮＴＮ通信を実現するためには、ＵＥパラメータ（例えば、ＴＡおよび／またはＫ２）の決定方法について更に研究する必要がある。
【発明の概要】
【０００７】
本開示の実施形態は、プロトコルの変更およびソフトウェアおよびハードウェアのメンテナンス費用を最小にするように、ＴＡおよび／またはＫ２などのようなＵＥパラメータを決定するための解決法を提供する。
【０００８】
本開示の実施形態では、ＵＥパラメータ決定方法が提供され、方法は、セル内の各ＵＥと衛星との間の最小ラウンド・トリップ・タイムを決定することと、最小ラウンド・トリップ・タイムとネットワーク側ダウンリンク無線フレームのフレーム情報とに基づいてネットワーク側アップリンク無線フレームのフレーム情報を決定することとを含み、最小ラウンド・トリップ・タイムは、ネットワーク側アップリンク無線フレームをネットワーク側ダウンリンク無線フレームより遅れさせるタイミング差であり、かつ方法は、ネットワーク側アップリンク無線フレームとネットワーク側ダウンリンク無線フレームとに基づいて各ＵＥのＵＥパラメータを決定することを含み、ＵＥパラメータは、ＴＡとＫ２との少なくとも１つを含む。
【０００９】
オプションとして、セル内の各ＵＥと衛星との間の最小ラウンド・トリップ・タイムを決定することは、セル内の各ＵＥと衛星との間の最小ラウンド・トリップ・タイムを、衛星の高度に基づいて決定することを含む。
【００１０】
オプションとして、最小ラウンド・トリップ・タイムは、タイム・スロットにより計数され、タイム・スロットについて切り下げすることにより得られるか、または、最小ラウンド・トリップ・タイムは、サブフレームにより計数され、サブフレームについて切り下げすることにより得られる。
【００１１】
オプションとして、最小ラウンド・トリップ・タイムは各ＵＥに対して透明である。
【００１２】
オプションとして、ＵＥパラメータはＴＡであり、ネットワーク側アップリンク無線フレームとネットワーク側ダウンリンク無線フレームとに基づいて各ＵＥのＵＥパラメータを決定することは、各ＵＥからアップリンク信号を受信することと、アップリンク信号と、ネットワーク側ダウンリンク無線フレームと、ネットワーク側アップリンク無線フレームとに基づいて各ＵＥのＴＡを計算することとを含む。
【００１３】
オプションとして、ＵＥパラメータはＫ２であり、ネットワーク側アップリンク無線フレームとネットワーク側ダウンリンク無線フレームとに基づいて各ＵＥのＵＥパラメータを決定することは、各ＵＥについてアップリンク・スケジューリングを行うときに、ネットワーク側アップリンク無線フレームとネットワーク側ダウンリンク無線フレームとに基づいて各ＵＥのＫ２を計算することを含む。
【００１４】
本開示の実施形態では、ＵＥパラメータ決定装置が提供され、この装置は、セル内の各ＵＥと衛星との間の最小ラウンド・トリップ・タイムを決定するように構成された第１決定回路と、最小ラウンド・トリップ・タイムとネットワーク側ダウンリンク無線フレームのフレーム情報とに基づいてネットワーク側アップリンク無線フレームのフレーム情報を決定するように構成された第２決定回路とを含み、最小ラウンド・トリップ・タイムは、ネットワーク側アップリンク無線フレームをネットワーク側ダウンリンク無線フレームより遅れさせるタイミング差であり、かつ装置は、ネットワーク側アップリンク無線フレームとネットワーク側ダウンリンク無線フレームとに基づいて各ＵＥのＵＥパラメータを決定するように構成された第３決定回路を含み、ＵＥパラメータは、ＴＡとＫ２との少なくとも１つを含む。
【００１５】
オプションとして、第１決定回路は、セル内の各ＵＥと衛星との間の最小ラウンド・トリップ・タイムを、衛星の高度に基づいて決定するように構成された決定サブ回路を含む。
【００１６】
オプションとして、最小ラウンド・トリップ・タイムは、タイム・スロットにより計数され、タイム・スロットについて切り下げすることにより得られるか、または、最小ラウンド・トリップ・タイムは、サブフレームにより計数され、サブフレームについて切り下げすることにより得られる。
【００１７】
オプションとして、最小ラウンド・トリップ・タイムは各ＵＥに対して透明である。
【００１８】
オプションとして、ＵＥパラメータはＴＡであり、第３決定回路は、各ＵＥからアップリンク信号を受信するように構成された受信サブ回路と、アップリンク信号と、ネットワーク側ダウンリンク無線フレームと、ネットワーク側アップリンク無線フレームとに基づいて各ＵＥのＴＡを計算するように構成された第１計算サブ回路とを含む。
【００１９】
オプションとして、ＵＥパラメータはＫ２であり、第３決定回路は、各ＵＥについてアップリンク・スケジューリングを行うときに、ネットワーク側アップリンク無線フレームとネットワーク側ダウンリンク無線フレームとに基づいて各ＵＥのＫ２を計算するように構成された第２計算サブ回路を含む。
【００２０】
本開示の実施形態では、コンピュータ命令が格納された記録媒体が提供され、コンピュータ命令が実行されると、前記ＵＥパラメータ決定方法が行われる。
【００２１】
本開示の実施形態では、メモリとプロセッサとを含む基地局が提供され、メモリにはコンピュータ命令が記憶され、プロセッサがコンピュータ命令を実行したときに、前記ＵＥパラメータ決定方法が行われる。
【００２２】
本開示の実施形態は、下記の利点を提供し得る。
【００２３】
本開示の実施形態では、ＵＥパラメータ決定方法が提供され、方法は、セル内の各ＵＥと衛星との間の最小ラウンド・トリップ・タイムを決定することと、最小ラウンド・トリップ・タイムとネットワーク側ダウンリンク無線フレームのフレーム情報とに基づいてネットワーク側アップリンク無線フレームのフレーム情報を決定することとを含み、最小ラウンド・トリップ・タイムは、ネットワーク側アップリンク無線フレームをネットワーク側ダウンリンク無線フレームより遅れさせるタイミング差であり、かつ方法は、ネットワーク側アップリンク無線フレームとネットワーク側ダウンリンク無線フレームとに基づいて各ＵＥのＵＥパラメータを決定することを含み、ＵＥパラメータは、ＴＡとＫ２との少なくとも１つを含む。本開示の実施形態により、最小ラウンド・トリップ・タイムを、ネットワーク側アップリンク無線フレームをネットワーク側ダウンリンク無線フレームより遅れさせるタイミング差として捉えることができるので、ネットワーク側アップリンク無線フレームを得るようにし、ネットワーク側アップリンク無線フレームに基づいてＴＡおよび／またはＫ２の値を決定するようにする。更に、ＵＥは、ネットワーク側アップリンク無線フレームおよびネットワーク側ダウンリンク無線フレームに基づいてデータの送信および受信を行うことができる。ＮＴＮにおける非常に長いラウンド・トリップ・タイムはネットワークを介して調節されて、地上ネットワークＵＥのソフトウェアおよびハードウェアの変更を最小にとどめるようにし、それにより、ＵＥのソフトウェアおよびハードウェアの追加のメンテナンス費用を効果的に避けることができ、ＮＴＮ通信がサポートされる。
【００２４】
更に、最小ラウンド・トリップ・タイムは各ＵＥに対して透明である。本開示の実施形態により、ＵＥは最小ラウンド・トリップ・タイムを知る必要がなくなり、ＮＴＮ  ＵＥのＴＡおよびＫ２は、ネットワーク側アップリンク無線フレームとネットワーク側ダウンリンク無線フレームとのタイミング差を導入することにより、比較的小さくすることができ、これにより、関連するプロトコルの変更を最小にとどめることができ、ＵＥのメンテナンス費用を低減することができる。
【図面の簡単な説明】
【００２５】
【図１】図１は、既存の技術におけるＵＥパラメータ決定方法のシナリオの図である。
【図２】図２は、実施形態に従ったＵＥパラメータ決定方法のフロー・チャートである。
【図３】図３は、実施形態に従ったＵＥパラメータ決定方法のシナリオの図である。
【図４】図４は、実施形態に従ったＵＥパラメータ決定装置の構造図である。
【発明を実施するための形態】
【００２６】
背景において説明したように、既存の技術では、ＴＡは、各ＵＥに対する特定ＴＡ部と、全ＵＥに適用可能な固定ＴＡ部とに分割され、固定ＴＡ部はシステム情報を介して送信される。また、同様に、ＵＬグラント指示のアップリンク・リソースが位置するスロットから、ＵＬグラントが受信されたときのスロットまでの時間（略してＫ２）に関して、似た解決法が適用され得る。しかし、既存のＴＡおよびＫ２の決定方法は、ＴＡおよびＫ２の値を、地上ネットワークで現在定められているＴＡおよびＫ２の範囲を大幅に超えたものとすることになる。
【００２７】
例えば、１５ｋＨｚのサブキャリア間隔の場合には、図１に示すように、ネットワーク基地局（例えば、ｇＮｏｄｅＢ（ｇＮＢ））のフレームのスロット０から、ＵＥがそのフレームを受信する時までの片道伝送遅延は、５ｍｓより長く、ｇＮＢとＵＥとの間のＲＴＴは、１１ｍｓより長い。
【００２８】
アップリンク・タイミング同期を達成するために、ｇＮＢは、ＵＥのためにＴＡをコンフィギュレーションし、それにより、ＵＥは望んだタイム・スロットでアップリンク送信を完了することができる。ＲＴＴを考慮し、ＵＥは、１１ｍｓより長い時間の前にアップリンク・データ送信を行い（即ち、ＴＡは約１１ｍｓの補償を行い）、それにより、ＵＥのアップリンク信号がネットワーク基地局へ到達したときに、ＵＥのアップリンク信号をネットワーク基地局側のアップリンク・フレームと整合させることができる。更に、フレーム１のタイム・スロット０でＵＥにより受信されたＵＬグラントは、フレーム２のタイム・スロット４でＵＥがデータを送信できることを示し、Ｋ２の値は１４タイム・スロットとすべきである。
【００２９】
既存の技術的解決法では、ｇＮＢとＵＥとの間の最小ＲＴＴは、固定ＴＡ部として用いられ、システム情報を介してブロードキャストすることができ、特定ＴＡ部は、ｇＮＢによりタイミング・アドバンス・コマンド（Timing Advance Command）を介して各ＵＥへ通知され得る。同じプロセスがＫ２に対して適用される。同様に、他のサブキャリアの間隔も類推することができるが、ここでは繰り返して説明しない。既存の技術的解決法はプロトコルの変更を必要とする、ということを理解することができる。更に、ＵＥに関して、ＮＴＮ通信をサポートするためには、関連するソフトウェアおよびハードウェアのアップデートをインプリメントすることや、関連する変数を維持することが更に必要とされ、それはソフトウェアおよびハードウェアのメンテナンス費用を増加させる。
【００３０】
本開示の実施形態では、ＵＥパラメータ決定方法が提供され、方法は、セル内の各ＵＥと衛星との間の最小ラウンド・トリップ・タイムを決定することと、最小ラウンド・トリップ・タイムとネットワーク側ダウンリンク無線フレームのフレーム情報とに基づいてネットワーク側アップリンク無線フレームのフレーム情報を決定することとを含み、最小ラウンド・トリップ・タイムは、ネットワーク側アップリンク無線フレームをネットワーク側ダウンリンク無線フレームより遅れさせるタイミング差であり、かつ方法は、ネットワーク側アップリンク無線フレームとネットワーク側ダウンリンク無線フレームとに基づいて各ＵＥのＵＥパラメータを決定することを含み、ＵＥパラメータは、ＴＡとＫ２との少なくとも１つを含む。
【００３１】
本開示の実施形態により、最小ラウンド・トリップ・タイムを、ネットワーク側アップリンク無線フレームをネットワーク側ダウンリンク無線フレームより遅れさせるタイミング差として捉えることができるので、ネットワーク側アップリンク無線フレームを得るようにし、ネットワーク側アップリンク無線フレームに基づいてＴＡおよび／またはＫ２の値を決定するようにする。更に、ＵＥは、ネットワーク側アップリンク無線フレームおよびネットワーク側ダウンリンク無線フレームに基づいてデータの送信および受信を行うことができる。ＮＴＮにおける非常に長いラウンド・トリップ・タイムはネットワークを介して調節されて、地上ネットワークＵＥのソフトウェアおよびハードウェアの変更を最小にとどめるようにし、それにより、ＵＥのソフトウェアおよびハードウェアの追加のメンテナンス費用を効果的に避けることができ、ＮＴＮ通信がサポートされる。
【００３２】
本開示の目的、特徴、および利点を明確にするために、本開示の実施形態を、添付の図面と関連させて詳細に説明する。
【００３３】
図２は、実施形態に従ったＵＥパラメータ決定方法のフロー・チャートである。
【００３４】
ネットワーク側の基地局のタイミング同期を保証するために、ネットワークは、各ＵＥのアップリンク・タイミングを調節することにより、様々な伝送遅延のバランスをとることができ、それにより、各ＵＥのアップリンク信号は基地局へ同期して到達することができる。例えば、基地局から近いＵＥと比べて、基地局から遠いＵＥの送信時間は長いので、基地局から遠いＵＥはアップリンク・データを先に送信する必要がある。先に送信する際のタイミングは、基地局により計算され、ＵＥへ通知される。具体的には、基地局は、各ＵＥに関してＴＡをコンフィギュレーションし、それをＵＥへ送信することができ、ＵＥは、そのＴＡに基づいてアップリンク・データの送信のタイミングを調節し、それにより基地局側でのタイミング同期を実現する。ＮＴＮ通信では、基地局とＵＥとの間のＲＴＴが、地上ネットワーク通信での基地局とＵＥとの間のＲＴＴよりもかなり長いので、ＴＡおよび／またはＫ２の値の範囲は、現在定めている値の範囲を大きく超える。
【００３５】
従って、本開示の実施形態は、Ｓ１０１、Ｓ１０２、およびＳ１０３を含むＵＥパラメータ決定方法を提供する。
【００３６】
Ｓ１０１において、セル内の各ＵＥと衛星との間の最小ラウンド・トリップ・タイムが決定される。
【００３７】
Ｓ１０２において、最小ラウンド・トリップ・タイムとネットワーク側ダウンリンク無線フレームのフレーム情報とに基づいて、ネットワーク側アップリンク無線フレームのフレーム情報が決定され、最小ラウンド・トリップ・タイムは、ネットワーク側アップリンク無線フレームをネットワーク側ダウンリンク無線フレームより遅れさせるタイミング差である。
【００３８】
Ｓ１０３において、ネットワーク側アップリンク無線フレームとネットワーク側ダウンリンク無線フレームとに基づいて各ＵＥのＵＥパラメータが決定され、ＵＥパラメータはＴＡとＫ２との少なくとも１つを含む。具体的には、各ＵＥのＵＥパラメータは、ネットワーク側アップリンク無線フレームのタイミングおよびネットワーク側ダウンリンク無線フレームのタイミングに基づいて決定することができる。
【００３９】
幾つかの実施形態では、Ｓ１０１において、ＮＴＮ基地局は、セル内の各ＵＥと衛星との間のラウンド・トリップ・タイムを決定することができ、基地局とＵＥとの間の最小ラウンド・トリップ・タイムを得るようにすることができる。
【００４０】
幾つか実施形態では、ＮＴＮ基地局は、衛星の高度に基づいて、セル内の各ＵＥと衛星との間のラウンド・トリップ・タイムを決定することができる。例えば、各ＵＥと衛星との間のラウンド・トリップ・タイムを比較して、最小ラウンド・トリップ・タイムを求める。好適には、ＮＴＮ基地局は、特定のＵＥが衛星に最も近い地上平面位置にあると仮定し、その特定のＵＥと衛星との間のラウンド・トリップ・タイムを最小ラウンド・トリップ・タイムに決定することができる。
【００４１】
Ｓ１０２において、ＮＴＮ基地局は、最小ラウンド・トリップ・タイムとネットワーク側ダウンリンク無線フレームのフレーム情報とに基づいて、ネットワーク側アップリンク無線フレームのフレーム情報を決定することができる。当業者には理解できるように、地上ネットワークに関しては、ネットワークは、ネットワーク側ダウンリンク無線フレームとネットワーク側アップリンク無線フレームとを区別せず、単に、ネットワーク側無線フレームを、データの送信および受信のための基準として用いる。
【００４２】
ＮＴＮ通信では、基地局は、ネットワーク側についてのネットワーク側ダウンリンク無線フレームおよびネットワーク側アップリンク無線フレームを決定することができる。ネットワーク側ダウンリンク無線フレームとネットワーク側アップリンク無線フレームとのフレーム情報は異なり得る。ネットワーク側アップリンク無線フレームは、ネットワーク側ダウンリンク無線フレームより遅れる。
【００４３】
具体的には、ＮＴＮ基地局のアップリンクのタイミングとダウンリンクのタイミングとは異なり、ネットワーク側アップリンク無線フレームのフレーム情報は、最小ラウンド・トリップ・タイムとネットワーク側ダウンリンク無線フレームのフレーム情報とに基づいて決定することができる。フレーム情報は、フレーム番号、タイム・スロット番号、サブフレーム番号のインデックス情報、無線フレームに含まれるタイム・スロットの数などの、１以上の情報を含むことができる。当業者には理解できるように、実際の応用では、ＮＴＮ基地局において、ネットワーク側アップリンク無線フレームのフレーム情報は、特定の応用における変更に応じて変更され得るが、ここでは、これについて詳細に説明しない。
【００４４】
幾つかの実施形態では、ネットワーク側アップリンク無線フレームがネットワーク側ダウンリンク無線フレームに遅れるタイミング差は、最小ラウンド・トリップ・タイムであり得る。ネットワーク側ダウンリンク無線フレームのフレーム情報が決定された後、最小ラウンド・トリップ・タイムが遅延され、ネットワーク側アップリンク無線フレームのフレーム情報を得るようにする。
【００４５】
幾つかの実施形態では、ネットワーク側に関して、ネットワーク側のアップリンク無線フレームとダウンリンク無線フレームとは異なるタイミングを有する。特定の時点について、無線フレームのタイム・スロットを例とすると、その時点でのネットワーク側ダウンリンク無線フレームのフレーム番号は、ネットワーク側アップリンク無線フレームのフレーム番号とは異なり得るものであり、また、ネットワーク側ダウンリンク無線フレームにおけるタイム・スロット番号も、ネットワーク側アップリンク無線フレームにおけるタイム・スロット番号と異なり得る。
【００４６】
ネットワーク側アップリンク無線フレームとネットワーク側ダウンリンク無線フレームとのフレーム番号およびタイム・スロット番号は異なり得る。図３に示すように、１５ｋＨｚを例とすると、各フレームは、タイム・スロット０からタイム・スロット９までの１０のタイム・スロットを含む。ｇＮＢは、フレーム１のタイム・スロット０でＵＬグラントを送信して、ＵＥがフレーム１のタイム・スロット３でアップリンク送信を行うように命令し、ここにおいて、Ｋ２は、３タイム・スロットであり、ネットワーク側ダウンリンク無線フレームとネットワーク側アップリンク無線フレームとに基づいて決定される。ネットワーク側アップリンク無線フレームのタイミングは、ネットワーク側ダウンリンク無線フレームのタイミングより遅れ、遅れ時間は、最小ラウンド・トリップ・タイムであり得るか、またはタイム・スロットについて切り下げした結果であり得る。
【００４７】
代替的には、特定の時点について、無線フレームのサブフレームを例とすると、その時点でのネットワーク側アップリンク無線フレームとネットワーク側ダウンリンク無線フレームとのフレーム番号は異なり得るものであり、また、ネットワーク側ダウンリンク無線フレームにおけるサブフレーム番号も、ネットワーク側アップリンク無線フレームにおけるサブフレーム番号と異なり得る。
【００４８】
更に、最小ＲＴＴは、タイム・スロットで計数することができる。一般に、各タイム・スロットの期間は１ｍｓである。当業者には理解できるように、最小ＲＴＴは、タイム・スロットについて切り下げすることにより得られ、ネットワーク側アップリンク無線フレームが決定される。代替的には、最小ＲＴＴは、サブフレームで計数することができる。当業者には理解できるように、最小ＲＴＴは、サブフレームについて切り下げすることにより得られ、ネットワーク側アップリンク無線フレームが決定される。
【００４９】
更に、ＮＴＮ基地局は、既存の計算方法に基づいて、小さいタイム・スロットまたはサブフレームを用いてＴＡ値を決定することができ、そのＴＡ値をＵＥへ通知することができる。簡潔にするために、ここでは特定の計算プロセスについて説明しない。
【００５０】
更に、Ｓ１０３において、ＮＴＮ基地局のアップリンクとダウンリンクとのタイミング差は、ＮＴＮ  ＵＥに対して透明である。即ち、ＵＥは、ＮＴＮ基地局のアップリンクとダウンリンクとのタイミングに差が存在することを、知る必要がない。
【００５１】
具体的には、ＮＴＮ基地局は、ＴＡを計算するために、ＵＬにより送信されたアップリンク信号、ネットワーク側アップリンク無線フレーム、およびネットワーク側ダウンリンク無線フレームを用いる。幾つかの実施形態では、ＮＴＮ基地局は、ＵＥがランダム・アクセスを行うときに、受信したランダム・アクセス・プリアンブル（random access preamble）を測定することにより、ＴＡの値を決定することができる。ＵＥのＴＡを決定するとき、ＮＴＮ基地局は、ネットワーク側アップリンク無線フレームに基づいてそれを計算する、即ち、ＮＴＮ基地局がＴＡを計算するとき、最小ラウンド・トリップ・タイム（即ち、ネットワーク側アップリンク無線フレームをネットワーク側ダウンリンク無線フレームより遅れさせるタイミング差）が演繹される。一般に、タイミング差を演繹した後、ＮＴＮ基地局は、測定したランダム・アクセス・プリアンブルに基づいてＴＡを計算することができる。このように、計算されたＴＡ値は比較的小さく、従って、既存のプロトコルの変更を最小限にする。
【００５２】
当業者には理解できるように、ＮＴＮネットワークに関して、Ｋ２を決定するステップは、ＴＡを決定するステップと同様である。ＵＥについてのＵＬスケジューリングを行うとき、ＮＴＮ基地局は、最小ラウンド・トリップ・タイムを控除することができる。具体的には、ＮＴＮ基地局は、ネットワーク側アップリンク無線フレームをネットワーク側ダウンリンク無線フレームより遅れさせるタイミング差を演繹した後に、Ｋ２の値を計算することができるが、ここでは特定の計算プロセスについて説明しない。
【００５３】
その後、ＮＴＮ基地局は、計算の結果（即ち、決定したＴＡ）を、タイミング・アドバンス・コマンド（Timing Advance Command）を介してＵＥへ送信することができる。一般に、ＮＴＮ基地局は、計算の結果を、ランダム・アクセス・レスポンス（random access response）のタイミング・アドバンス・コマンドを介してＵＥへ送信することができる。
【００５４】
上記から、本開示の実施形態により提供される技術的解決法を用いると、ＵＥ側のプロトコルを変更せずに、ＵＥに関して、ＮＴＮネットワークのＵＥパラメータであるＴＡおよび／またはＫ２を決定することができる。更に、ＵＬ側の関連するプロトコルの変更を最小限にすることができ、これは、ＵＥのメンテナンス費用を低減する。
【００５５】
図４は、実施形態に従ったＵＥパラメータ決定装置の構造図である。ＵＥパラメータ決定装置４は、図２および図３に示すＵＥパラメータ決定方法の技術的解決法をインプリメントするために用いることができ、ネットワーク側、例えば、ＮＴＮ基地局（例えば、５Ｇ  ｇＮＢ）に適用されることができる。
【００５６】
具体的には、ＵＥパラメータ決定装置４は、第１決定回路４１、第２決定回路４２、および第３決定回路４３を含むことができる。
【００５７】
第１決定回路４１は、セル内の各ＵＥと衛星との間の最小ラウンド・トリップ・タイムを決定するように構成され、第２決定回路４２は、最小ラウンド・トリップ・タイムとネットワーク側ダウンリンク無線フレームのフレーム情報とに基づいてネットワーク側アップリンク無線フレームのフレーム情報を決定するように構成され、最小ラウンド・トリップ・タイムは、ネットワーク側アップリンク無線フレームをネットワーク側ダウンリンク無線フレームより遅れさせるタイミング差であり、第３決定回路４３は、ネットワーク側アップリンク無線フレームとネットワーク側ダウンリンク無線フレームとに基づいて各ＵＥのＵＥパラメータを決定するように構成され、ＵＥパラメータはＴＡとＫ２との少なくとも１つを含む。
【００５８】
幾つかの実施形態では、第１決定回路４１は決定サブ回路４１１を含む。
【００５９】
決定サブ回路４１１は、セル内の各ＵＥと衛星との間の最小ラウンド・トリップ・タイムを、衛星の高度に基づいて決定するように構成される。
【００６０】
幾つかの実施形態では、最小ラウンド・トリップ・タイムは、タイム・スロットにより計数され、タイム・スロットについて切り下げすることにより得られるか、または、最小ラウンド・トリップ・タイムは、サブフレームにより計数され、サブフレームについて切り下げすることにより得られる。
【００６１】
幾つかの実施形態では、最小ラウンド・トリップ・タイムは各ＵＥに対して透明である。
【００６２】
幾つかの実施形態では、ＵＥパラメータはＴＡであり、第３決定回路４３は、受信サブ回路４３１と第１計算サブ回路４３２とを含む。
【００６３】
受信サブ回路４３１は、各ＵＥからアップリンク信号を受信するように構成され、第１計算サブ回路４３２は、アップリンク信号と、ネットワーク側ダウンリンク無線フレームと、ネットワーク側アップリンク無線フレームとに基づいて各ＵＥのＴＡを計算するように構成される。
【００６４】
代替的に、ＵＥパラメータはＫ２であり、第３決定回路４３は、第２計算サブ回路４３３を含む。第２計算サブ回路４３３は、各ＵＥについてアップリンク・スケジューリングを行うときに、ネットワーク側アップリンク無線フレームとネットワーク側ダウンリンク無線フレームとに基づいて各ＵＥのＫ２を計算するように構成される。
【００６５】
ＵＥパラメータ決定装置４の動作原理および動作モードの更なる詳細は、図２および図３の上記の説明で見つけることができるので、ここでは説明しない。
【００６６】
本開示の実施形態では、コンピュータ命令が格納された記録媒体が提供され、コンピュータ命令が実行されると、図２および図３に示した前記ＵＥパラメータ決定方法が行われる。幾つかの実施形態では、記録媒体は、不揮発性または非一時的メモリなどのような、コンピュータ読み取り可能な記録媒体を含む。コンピュータ読み取り可能な記録媒体は、リード・オンリ・メモリ（ＲＯＭ）、ランダム・アクセス・メモリ（ＲＡＭ）、磁気ディスク、または光ディスクを含むことができる。
【００６７】
本開示の実施形態では、メモリとプロセッサとを含む基地局が提供され、メモリにはコンピュータ命令が記憶され、プロセッサがコンピュータ命令を実行したときに、図２および図３に示した前記ＵＥパラメータ決定方法が行われる。幾つかの実施形態では、基地局は衛星基地局とすることができる。
【００６８】
上記では、本開示について好適な実施形態を参照して説明したが、本開示を単に例を用いて示したものであり、限定を示すものではないことを、理解すべきである。当業者は、本開示の精神および範囲を逸脱せずに、実施形態を変更および改造することができる。
【００６９】
背景において説明したように、既存の技術では、ＴＡは、各ＵＥに対する特定ＴＡ部と、全ＵＥに適用可能な固定ＴＡ部とに分割され、固定ＴＡ部はシステム情報を介して送信される。また、同様に、ＵＬグラント指示のアップリンク・リソースが位置するスロットから、ＵＬグラントが受信されたときのスロットまでの時間（略してＫ２）に関して、似た解決法が適用され得る。しかし、既存のＴＡおよびＫ２の決定方法は、ＴＡおよびＫ２の値を、地上ネットワークで現在定められているＴＡおよびＫ２の範囲を大幅に超えたものとすることになる。
【００７０】
例えば、１５ｋＨｚのサブキャリア間隔の場合には、図１に示すように、ネットワーク基地局（例えば、ｇＮｏｄｅＢ（ｇＮＢ））のフレームのスロット０から、ＵＥがそのフレームを受信する時までの片道伝送遅延は、５ｍｓより長く、ｇＮＢとＵＥとの間のＲＴＴは、１１ｍｓより長い。
【００７１】
アップリンク・タイミング同期を達成するために、ｇＮＢは、ＵＥのためにＴＡをコンフィギュレーションし、それにより、ＵＥは望んだタイム・スロットでアップリンク送信を完了することができる。ＲＴＴを考慮し、ＵＥは、１１ｍｓより長い時間の前にアップリンク・データ送信を行い（即ち、ＴＡは約１１ｍｓの補償を行い）、それにより、ＵＥのアップリンク信号がネットワーク基地局へ到達したときに、ＵＥのアップリンク信号をネットワーク基地局側のアップリンク・フレームと整合させることができる。更に、フレーム１のタイム・スロット０でＵＥにより受信されたＵＬグラントは、フレーム２のタイム・スロット４でＵＥがデータを送信できることを示し、Ｋ２の値は１４タイム・スロットとすべきである。
【００７２】
既存の技術的解決法では、ｇＮＢとＵＥとの間の最小ＲＴＴは、固定ＴＡ部として用いられ、システム情報を介してブロードキャストすることができ、特定ＴＡ部は、ｇＮＢによりタイミング・アドバンス・コマンド（Timing Advance Command）を介して各ＵＥへ通知され得る。同じプロセスがＫ２に対して適用される。同様に、他のサブキャリアの間隔も類推することができるが、ここでは繰り返して説明しない。既存の技術的解決法はプロトコルの変更を必要とする、ということを理解することができる。更に、ＵＥに関して、ＮＴＮ通信をサポートするためには、関連するソフトウェアおよびハードウェアのアップデートをインプリメントすることや、関連する変数を維持することが更に必要とされ、それはソフトウェアおよびハードウェアのメンテナンス費用を増加させる。
【００７３】
本開示の実施形態では、ＵＥパラメータ決定方法が提供され、方法は、セル内の各ＵＥと衛星との間の最小ラウンド・トリップ・タイムを決定することと、最小ラウンド・トリップ・タイムとネットワーク側ダウンリンク無線フレームのフレーム情報とに基づいてネットワーク側アップリンク無線フレームのフレーム情報を決定することとを含み、最小ラウンド・トリップ・タイムは、ネットワーク側アップリンク無線フレームをネットワーク側ダウンリンク無線フレームより遅れさせるタイミング差であり、かつ方法は、ネットワーク側アップリンク無線フレームとネットワーク側ダウンリンク無線フレームとに基づいて各ＵＥのＵＥパラメータを決定することを含み、ＵＥパラメータは、ＴＡとＫ２との少なくとも１つを含む。
【００７４】
本開示の実施形態により、最小ラウンド・トリップ・タイムを、ネットワーク側アップリンク無線フレームをネットワーク側ダウンリンク無線フレームより遅れさせるタイミング差として捉えることができるので、ネットワーク側アップリンク無線フレームを得るようにし、ネットワーク側アップリンク無線フレームに基づいてＴＡおよび／またはＫ２の値を決定するようにする。更に、ＵＥは、ネットワーク側アップリンク無線フレームおよびネットワーク側ダウンリンク無線フレームに基づいてデータの送信および受信を行うことができる。ＮＴＮにおける非常に長いラウンド・トリップ・タイムはネットワークを介して調節されて、地上ネットワークＵＥのソフトウェアおよびハードウェアの変更を最小にとどめるようにし、それにより、ＵＥのソフトウェアおよびハードウェアの追加のメンテナンス費用を効果的に避けることができ、ＮＴＮ通信がサポートされる。
【００７５】
本開示の目的、特徴、および利点を明確にするために、本開示の実施形態を、添付の図面と関連させて詳細に説明する。
【００７６】
図２は、実施形態に従ったＵＥパラメータ決定方法のフロー・チャートである。
【００７７】
ネットワーク側の基地局のタイミング同期を保証するために、ネットワークは、各ＵＥのアップリンク・タイミングを調節することにより、様々な伝送遅延のバランスをとることができ、それにより、各ＵＥのアップリンク信号は基地局へ同期して到達することができる。例えば、基地局から近いＵＥと比べて、基地局から遠いＵＥの送信時間は長いので、基地局から遠いＵＥはアップリンク・データを先に送信する必要がある。先に送信する際のタイミングは、基地局により計算され、ＵＥへ通知される。具体的には、基地局は、各ＵＥに関してＴＡをコンフィギュレーションし、それをＵＥへ送信することができ、ＵＥは、そのＴＡに基づいてアップリンク・データの送信のタイミングを調節し、それにより基地局側でのタイミング同期を実現する。ＮＴＮ通信では、基地局とＵＥとの間のＲＴＴが、地上ネットワーク通信での基地局とＵＥとの間のＲＴＴよりもかなり長いので、ＴＡおよび／またはＫ２の値の範囲は、現在定めている値の範囲を大きく超える。
【００７８】
従って、本開示の実施形態は、Ｓ１０１、Ｓ１０２、およびＳ１０３を含むＵＥパラメータ決定方法を提供する。
【００７９】
Ｓ１０１において、セル内の各ＵＥと衛星との間の最小ラウンド・トリップ・タイムが決定される。
【００８０】
Ｓ１０２において、最小ラウンド・トリップ・タイムとネットワーク側ダウンリンク無線フレームのフレーム情報とに基づいて、ネットワーク側アップリンク無線フレームのフレーム情報が決定され、最小ラウンド・トリップ・タイムは、ネットワーク側アップリンク無線フレームをネットワーク側ダウンリンク無線フレームより遅れさせるタイミング差である。
【００８１】
Ｓ１０３において、ネットワーク側アップリンク無線フレームとネットワーク側ダウンリンク無線フレームとに基づいて各ＵＥのＵＥパラメータが決定され、ＵＥパラメータはＴＡとＫ２との少なくとも１つを含む。具体的には、各ＵＥのＵＥパラメータは、ネットワーク側アップリンク無線フレームのタイミングおよびネットワーク側ダウンリンク無線フレームのタイミングに基づいて決定することができる。
【００８２】
幾つかの実施形態では、Ｓ１０１において、ＮＴＮ基地局は、セル内の各ＵＥと衛星との間のラウンド・トリップ・タイムを決定することができ、基地局とＵＥとの間の最小ラウンド・トリップ・タイムを得るようにすることができる。
【００８３】
幾つか実施形態では、ＮＴＮ基地局は、衛星の高度に基づいて、セル内の各ＵＥと衛星との間のラウンド・トリップ・タイムを決定することができる。例えば、各ＵＥと衛星との間のラウンド・トリップ・タイムを比較して、最小ラウンド・トリップ・タイムを求める。好適には、ＮＴＮ基地局は、特定のＵＥが衛星に最も近い地上平面位置にあると仮定し、その特定のＵＥと衛星との間のラウンド・トリップ・タイムを最小ラウンド・トリップ・タイムに決定することができる。
【００８４】
Ｓ１０２において、ＮＴＮ基地局は、最小ラウンド・トリップ・タイムとネットワーク側ダウンリンク無線フレームのフレーム情報とに基づいて、ネットワーク側アップリンク無線フレームのフレーム情報を決定することができる。当業者には理解できるように、地上ネットワークに関しては、ネットワークは、ネットワーク側ダウンリンク無線フレームとネットワーク側アップリンク無線フレームとを区別せず、単に、ネットワーク側無線フレームを、データの送信および受信のための基準として用いる。
【００８５】
ＮＴＮ通信では、基地局は、ネットワーク側についてのネットワーク側ダウンリンク無線フレームおよびネットワーク側アップリンク無線フレームを決定することができる。ネットワーク側ダウンリンク無線フレームとネットワーク側アップリンク無線フレームとのフレーム情報は異なり得る。ネットワーク側アップリンク無線フレームは、ネットワーク側ダウンリンク無線フレームより遅れる。
【００８６】
具体的には、ＮＴＮ基地局のアップリンクのタイミングとダウンリンクのタイミングとは異なり、ネットワーク側アップリンク無線フレームのフレーム情報は、最小ラウンド・トリップ・タイムとネットワーク側ダウンリンク無線フレームのフレーム情報とに基づいて決定することができる。フレーム情報は、フレーム番号、タイム・スロット番号、サブフレーム番号のインデックス情報、無線フレームに含まれるタイム・スロットの数などの、１以上の情報を含むことができる。当業者には理解できるように、実際の応用では、ＮＴＮ基地局において、ネットワーク側アップリンク無線フレームのフレーム情報は、特定の応用における変更に応じて変更され得るが、ここでは、これについて詳細に説明しない。
【００８７】
幾つかの実施形態では、ネットワーク側アップリンク無線フレームがネットワーク側ダウンリンク無線フレームに遅れるタイミング差は、最小ラウンド・トリップ・タイムであり得る。ネットワーク側ダウンリンク無線フレームのフレーム情報が決定された後、最小ラウンド・トリップ・タイムが遅延され、ネットワーク側アップリンク無線フレームのフレーム情報を得るようにする。
【００８８】
幾つかの実施形態では、ネットワーク側に関して、ネットワーク側のアップリンク無線フレームとダウンリンク無線フレームとは異なるタイミングを有する。特定の時点について、無線フレームのタイム・スロットを例とすると、その時点でのネットワーク側ダウンリンク無線フレームのフレーム番号は、ネットワーク側アップリンク無線フレームのフレーム番号とは異なり得るものであり、また、ネットワーク側ダウンリンク無線フレームにおけるタイム・スロット番号も、ネットワーク側アップリンク無線フレームにおけるタイム・スロット番号と異なり得る。
【００８９】
ネットワーク側アップリンク無線フレームとネットワーク側ダウンリンク無線フレームとのフレーム番号およびタイム・スロット番号は異なり得る。図３に示すように、１５ｋＨｚを例とすると、各フレームは、タイム・スロット０からタイム・スロット９までの１０のタイム・スロットを含む。ｇＮＢは、フレーム１のタイム・スロット０でＵＬグラントを送信して、ＵＥがフレーム１のタイム・スロット３でアップリンク送信を行うように命令し、ここにおいて、Ｋ２は、３タイム・スロットであり、ネットワーク側ダウンリンク無線フレームとネットワーク側アップリンク無線フレームとに基づいて決定される。ネットワーク側アップリンク無線フレームのタイミングは、ネットワーク側ダウンリンク無線フレームのタイミングより遅れ、遅れ時間は、最小ラウンド・トリップ・タイムであり得るか、またはタイム・スロットについて切り下げした結果であり得る。
【００９０】
代替的には、特定の時点について、無線フレームのサブフレームを例とすると、その時点でのネットワーク側アップリンク無線フレームとネットワーク側ダウンリンク無線フレームとのフレーム番号は異なり得るものであり、また、ネットワーク側ダウンリンク無線フレームにおけるサブフレーム番号も、ネットワーク側アップリンク無線フレームにおけるサブフレーム番号と異なり得る。
【００９１】
更に、最小ＲＴＴは、タイム・スロットで計数することができる。一般に、各タイム・スロットの期間は１ｍｓである。当業者には理解できるように、最小ＲＴＴは、タイム・スロットについて切り下げすることにより得られ、ネットワーク側アップリンク無線フレームが決定される。代替的には、最小ＲＴＴは、サブフレームで計数することができる。当業者には理解できるように、最小ＲＴＴは、サブフレームについて切り下げすることにより得られ、ネットワーク側アップリンク無線フレームが決定される。
【００９２】
更に、ＮＴＮ基地局は、既存の計算方法に基づいて、小さいタイム・スロットまたはサブフレームを用いてＴＡ値を決定することができ、そのＴＡ値をＵＥへ通知することができる。簡潔にするために、ここでは特定の計算プロセスについて説明しない。
【００９３】
更に、Ｓ１０３において、ＮＴＮ基地局のアップリンクとダウンリンクとのタイミング差は、ＮＴＮ  ＵＥに対して透明である。即ち、ＵＥは、ＮＴＮ基地局のアップリンクとダウンリンクとのタイミングに差が存在することを、知る必要がない。
【００９４】
具体的には、ＮＴＮ基地局は、ＴＡを計算するために、ＵＬにより送信されたアップリンク信号、ネットワーク側アップリンク無線フレーム、およびネットワーク側ダウンリンク無線フレームを用いる。幾つかの実施形態では、ＮＴＮ基地局は、ＵＥがランダム・アクセスを行うときに、受信したランダム・アクセス・プリアンブル（random access preamble）を測定することにより、ＴＡの値を決定することができる。ＵＥのＴＡを決定するとき、ＮＴＮ基地局は、ネットワーク側アップリンク無線フレームに基づいてそれを計算する、即ち、ＮＴＮ基地局がＴＡを計算するとき、最小ラウンド・トリップ・タイム（即ち、ネットワーク側アップリンク無線フレームをネットワーク側ダウンリンク無線フレームより遅れさせるタイミング差）が演繹される。一般に、タイミング差を演繹した後、ＮＴＮ基地局は、測定したランダム・アクセス・プリアンブルに基づいてＴＡを計算することができる。このように、計算されたＴＡ値は比較的小さく、従って、既存のプロトコルの変更を最小限にする。
【００９５】
当業者には理解できるように、ＮＴＮネットワークに関して、Ｋ２を決定するステップは、ＴＡを決定するステップと同様である。ＵＥについてのＵＬスケジューリングを行うとき、ＮＴＮ基地局は、最小ラウンド・トリップ・タイムを控除することができる。具体的には、ＮＴＮ基地局は、ネットワーク側アップリンク無線フレームをネットワーク側ダウンリンク無線フレームより遅れさせるタイミング差を演繹した後に、Ｋ２の値を計算することができるが、ここでは特定の計算プロセスについて説明しない。
【００９６】
その後、ＮＴＮ基地局は、計算の結果（即ち、決定したＴＡ）を、タイミング・アドバンス・コマンド（Timing Advance Command）を介してＵＥへ送信することができる。一般に、ＮＴＮ基地局は、計算の結果を、ランダム・アクセス・レスポンス（random access response）のタイミング・アドバンス・コマンドを介してＵＥへ送信することができる。
【００９７】
上記から、本開示の実施形態により提供される技術的解決法を用いると、ＵＥ側のプロトコルを変更せずに、ＵＥに関して、ＮＴＮネットワークのＵＥパラメータであるＴＡおよび／またはＫ２を決定することができる。更に、ＵＬ側の関連するプロトコルの変更を最小限にすることができ、これは、ＵＥのメンテナンス費用を低減する。
【００９８】
図４は、実施形態に従ったＵＥパラメータ決定装置の構造図である。ＵＥパラメータ決定装置４は、図２および図３に示すＵＥパラメータ決定方法の技術的解決法をインプリメントするために用いることができ、ネットワーク側、例えば、ＮＴＮ基地局（例えば、５Ｇ  ｇＮＢ）に適用されることができる。
【００９９】
具体的には、ＵＥパラメータ決定装置４は、第１決定回路４１、第２決定回路４２、および第３決定回路４３を含むことができる。
【０１００】
第１決定回路４１は、セル内の各ＵＥと衛星との間の最小ラウンド・トリップ・タイムを決定するように構成され、第２決定回路４２は、最小ラウンド・トリップ・タイムとネットワーク側ダウンリンク無線フレームのフレーム情報とに基づいてネットワーク側アップリンク無線フレームのフレーム情報を決定するように構成され、最小ラウンド・トリップ・タイムは、ネットワーク側アップリンク無線フレームをネットワーク側ダウンリンク無線フレームより遅れさせるタイミング差であり、第３決定回路４３は、ネットワーク側アップリンク無線フレームとネットワーク側ダウンリンク無線フレームとに基づいて各ＵＥのＵＥパラメータを決定するように構成され、ＵＥパラメータはＴＡとＫ２との少なくとも１つを含む。
【０１０１】
幾つかの実施形態では、第１決定回路４１は決定サブ回路４１１を含む。
【０１０２】
決定サブ回路４１１は、セル内の各ＵＥと衛星との間の最小ラウンド・トリップ・タイムを、衛星の高度に基づいて決定するように構成される。
【０１０３】
幾つかの実施形態では、最小ラウンド・トリップ・タイムは、タイム・スロットにより計数され、タイム・スロットについて切り下げすることにより得られるか、または、最小ラウンド・トリップ・タイムは、サブフレームにより計数され、サブフレームについて切り下げすることにより得られる。
【０１０４】
幾つかの実施形態では、最小ラウンド・トリップ・タイムは各ＵＥに対して透明である。
【０１０５】
幾つかの実施形態では、ＵＥパラメータはＴＡであり、第３決定回路４３は、受信サブ回路４３１と第１計算サブ回路４３２とを含む。
【０１０６】
受信サブ回路４３１は、各ＵＥからアップリンク信号を受信するように構成され、第１計算サブ回路４３２は、アップリンク信号と、ネットワーク側ダウンリンク無線フレームと、ネットワーク側アップリンク無線フレームとに基づいて各ＵＥのＴＡを計算するように構成される。
【０１０７】
代替的に、ＵＥパラメータはＫ２であり、第３決定回路４３は、第２計算サブ回路４３３を含む。第２計算サブ回路４３３は、各ＵＥについてアップリンク・スケジューリングを行うときに、ネットワーク側アップリンク無線フレームとネットワーク側ダウンリンク無線フレームとに基づいて各ＵＥのＫ２を計算するように構成される。
【０１０８】
ＵＥパラメータ決定装置４の動作原理および動作モードの更なる詳細は、図２および図３の上記の説明で見つけることができるので、ここでは説明しない。
【０１０９】
本開示の実施形態では、コンピュータ命令が格納された記録媒体が提供され、コンピュータ命令が実行されると、図２および図３に示した前記ＵＥパラメータ決定方法が行われる。幾つかの実施形態では、記録媒体は、不揮発性または非一時的メモリなどのような、コンピュータ読み取り可能な記録媒体を含む。コンピュータ読み取り可能な記録媒体は、リード・オンリ・メモリ（ＲＯＭ）、ランダム・アクセス・メモリ（ＲＡＭ）、磁気ディスク、または光ディスクを含むことができる。
【０１１０】
本開示の実施形態では、メモリとプロセッサとを含む基地局が提供され、メモリにはコンピュータ命令が記憶され、プロセッサがコンピュータ命令を実行したときに、図２および図３に示した前記ＵＥパラメータ決定方法が行われる。幾つかの実施形態では、基地局は衛星基地局とすることができる。
【０１１１】
上記では、本開示について好適な実施形態を参照して説明したが、本開示を単に例を用いて示したものであり、限定を示すものではないことを、理解すべきである。当業者は、本開示の精神および範囲を逸脱せずに、実施形態を変更および改造することができる。
【図１】
2021536691.tif 000004
【図２】
2021536691.tif 000005
【図３】
2021536691.tif 000006
【図４】
2021536691.tif 000007
【手続補正書】
【提出日】令和3年4月12日(2021.4.12)
【手続補正１】
【補正対象書類名】明細書
【補正対象項目名】全文
【補正方法】変更
【補正の内容】
【発明の詳細な説明】
【技術分野】
【０００１】
関連出願の相互参照
本出願は、２０１８年８月３１日に出願され、名称が「ユーザ機器パラメータ決定のための方法および装置、および記録媒体および基地局」である中国特許出願第２０１８１１０１２６４８．５の優先権の利益を主張するものであり、この参照によりその開示全体がここに組み込まれるものとする。
【０００２】
本開示は、一般に、ワイヤレス通信技術の分野と関連し、より具体的には、ユーザ機器（ＵＥ）のパラメータの決定のための方法および装置、および記録媒体および基地局と関連する。
【背景技術】
【０００３】
Third Generation Partnership Project（３ＧＰＰ）は、第５世代移動通信（５Ｇ）New Radio（ＮＲ）における非地上系ネットワーク（ＮＴＮ）について研究している。５Ｇ  ＮＴＮ通信の研究範囲は、主に、宇宙用ビークルである対地静止軌道衛星（ＧＥＯ）、中軌道衛星（ＭＥＯ）、低軌道衛星（ＬＥＯ）、および空中用ビークルである高高度プラットフォーム（ＨＡＰＳ）を含む。ＮＴＮ通信の主な特徴は、そのラウンド・トリップ・タイム（ＲＴＴ）が相対的に長いことであり、これは、一般に、数ミリ秒（略すとｍｓ）から数百ミリ秒の範囲である。様々なＮＴＮの配備のシナリオにおける片道遅延が表１に示されている。ＲＴＴは片道遅延の２倍である。更に、表１はまた、半径１０キロメートル（略すとｋｍ）の地上ネットワークのセルラ通信の関連するパラメータを示す。
【０００４】
【表１】
2021536691.tif 000008
【０００５】
現在、タイミング・アドバンス（ＴＡ）を、各ユーザ機器（ＵＥ）に対する特定ＴＡ部と、全てのＵＥに適用可能な固定ＴＡ部とに分割することが提案されている。全てのＵＥに適用可能な固定ＴＡ部は、システム情報を通じてＵＥへ送信することができる。また、アップリンク（ＵＬ）グラント指示情報を持つアップリンク・リソースが位置するスロットから、ＵＬグラントのリソースが位置するスロットまでの時間（略してＫ２）に関して、似た解決法が適用され得る。しかし、ＴＡやＫ２の固定部を付加するために通信プロトコルを変更する必要があるという点で、欠点がある。地上ネットワークのＵＥに関して、ＮＴＮ通信をサポートするためには、更に、関連するソフトウェアおよびハードウェアを実装（例えば、変数やアプリケーションを増加する、関連する変数の値の範囲がオーバーフローするか否かを確認するなど）する必要があり、これは、更に、関連するソフトウェアおよびハードウェアの管理ブランチのメンテナンスを必要とし、したがって、ソフトウェアおよびハードウェアのメンテナンス費用を増加させ得る。
【０００６】
したがって、ＮＴＮ通信を実現するためには、ＵＥパラメータ（例えば、ＴＡおよび／またはＫ２）の決定方法について更に研究する必要がある。
【発明の概要】
【０００７】
本開示の実施形態は、プロトコルの変更およびソフトウェアおよびハードウェアのメンテナンス費用を最小にするように、ＴＡおよび／またはＫ２などのようなＵＥパラメータを決定するための解決法を提供する。
【０００８】
本開示の実施形態では、ＵＥパラメータ決定方法が提供され、方法は、セル内の各ＵＥと衛星との間の最小ラウンド・トリップ・タイムを決定することと、最小ラウンド・トリップ・タイムとネットワーク側ダウンリンク無線フレームのフレーム情報とに基づいてネットワーク側アップリンク無線フレームのフレーム情報を決定することとを含み、最小ラウンド・トリップ・タイムは、ネットワーク側アップリンク無線フレームをネットワーク側ダウンリンク無線フレームより遅れさせるタイミング差であり、かつ方法は、ネットワーク側アップリンク無線フレームとネットワーク側ダウンリンク無線フレームとに基づいて各ＵＥのＵＥパラメータを決定することを含み、ＵＥパラメータは、ＴＡとＫ２との少なくとも１つを含む。
【０００９】
オプションとして、セル内の各ＵＥと衛星との間の最小ラウンド・トリップ・タイムを決定することは、セル内の各ＵＥと衛星との間の最小ラウンド・トリップ・タイムを、衛星の高度に基づいて決定することを含む。
【００１０】
オプションとして、最小ラウンド・トリップ・タイムは、タイム・スロットにより計数され、タイム・スロットについて切り下げすることにより得られるか、または、最小ラウンド・トリップ・タイムは、サブフレームにより計数され、サブフレームについて切り下げすることにより得られる。
【００１１】
オプションとして、最小ラウンド・トリップ・タイムは各ＵＥに対して透明である。
【００１２】
オプションとして、ＵＥパラメータはＴＡであり、ネットワーク側アップリンク無線フレームとネットワーク側ダウンリンク無線フレームとに基づいて各ＵＥのＵＥパラメータを決定することは、各ＵＥからアップリンク信号を受信することと、アップリンク信号と、ネットワーク側ダウンリンク無線フレームと、ネットワーク側アップリンク無線フレームとに基づいて各ＵＥのＴＡを計算することとを含む。
【００１３】
オプションとして、ＵＥパラメータはＫ２であり、ネットワーク側アップリンク無線フレームとネットワーク側ダウンリンク無線フレームとに基づいて各ＵＥのＵＥパラメータを決定することは、各ＵＥについてアップリンク・スケジューリングを行うときに、ネットワーク側アップリンク無線フレームとネットワーク側ダウンリンク無線フレームとに基づいて各ＵＥのＫ２を計算することを含む。
【００１４】
本開示の実施形態では、ＵＥパラメータ決定装置が提供され、この装置は、セル内の各ＵＥと衛星との間の最小ラウンド・トリップ・タイムを決定するように構成された第１決定回路と、最小ラウンド・トリップ・タイムとネットワーク側ダウンリンク無線フレームのフレーム情報とに基づいてネットワーク側アップリンク無線フレームのフレーム情報を決定するように構成された第２決定回路とを含み、最小ラウンド・トリップ・タイムは、ネットワーク側アップリンク無線フレームをネットワーク側ダウンリンク無線フレームより遅れさせるタイミング差であり、かつ装置は、ネットワーク側アップリンク無線フレームとネットワーク側ダウンリンク無線フレームとに基づいて各ＵＥのＵＥパラメータを決定するように構成された第３決定回路を含み、ＵＥパラメータは、ＴＡとＫ２との少なくとも１つを含む。
【００１５】
オプションとして、第１決定回路は、セル内の各ＵＥと衛星との間の最小ラウンド・トリップ・タイムを、衛星の高度に基づいて決定するように構成された決定サブ回路を含む。
【００１６】
オプションとして、最小ラウンド・トリップ・タイムは、タイム・スロットにより計数され、タイム・スロットについて切り下げすることにより得られるか、または、最小ラウンド・トリップ・タイムは、サブフレームにより計数され、サブフレームについて切り下げすることにより得られる。
【００１７】
オプションとして、最小ラウンド・トリップ・タイムは各ＵＥに対して透明である。
【００１８】
オプションとして、ＵＥパラメータはＴＡであり、第３決定回路は、各ＵＥからアップリンク信号を受信するように構成された受信サブ回路と、アップリンク信号と、ネットワーク側ダウンリンク無線フレームと、ネットワーク側アップリンク無線フレームとに基づいて各ＵＥのＴＡを計算するように構成された第１計算サブ回路とを含む。
【００１９】
オプションとして、ＵＥパラメータはＫ２であり、第３決定回路は、各ＵＥについてアップリンク・スケジューリングを行うときに、ネットワーク側アップリンク無線フレームとネットワーク側ダウンリンク無線フレームとに基づいて各ＵＥのＫ２を計算するように構成された第２計算サブ回路を含む。
【００２０】
本開示の実施形態では、コンピュータ命令が格納された記録媒体が提供され、コンピュータ命令が実行されると、前記ＵＥパラメータ決定方法が行われる。
【００２１】
本開示の実施形態では、メモリとプロセッサとを含む基地局が提供され、メモリにはコンピュータ命令が記憶され、プロセッサがコンピュータ命令を実行したときに、前記ＵＥパラメータ決定方法が行われる。
【００２２】
本開示の実施形態は、下記の利点を提供し得る。
【００２３】
本開示の実施形態では、ＵＥパラメータ決定方法が提供され、方法は、セル内の各ＵＥと衛星との間の最小ラウンド・トリップ・タイムを決定することと、最小ラウンド・トリップ・タイムとネットワーク側ダウンリンク無線フレームのフレーム情報とに基づいてネットワーク側アップリンク無線フレームのフレーム情報を決定することとを含み、最小ラウンド・トリップ・タイムは、ネットワーク側アップリンク無線フレームをネットワーク側ダウンリンク無線フレームより遅れさせるタイミング差であり、かつ方法は、ネットワーク側アップリンク無線フレームとネットワーク側ダウンリンク無線フレームとに基づいて各ＵＥのＵＥパラメータを決定することを含み、ＵＥパラメータは、ＴＡとＫ２との少なくとも１つを含む。本開示の実施形態により、最小ラウンド・トリップ・タイムを、ネットワーク側アップリンク無線フレームをネットワーク側ダウンリンク無線フレームより遅れさせるタイミング差として捉えることができるので、ネットワーク側アップリンク無線フレームを得るようにし、ネットワーク側アップリンク無線フレームに基づいてＴＡおよび／またはＫ２の値を決定するようにする。更に、ＵＥは、ネットワーク側アップリンク無線フレームおよびネットワーク側ダウンリンク無線フレームに基づいてデータの送信および受信を行うことができる。ＮＴＮにおける非常に長いラウンド・トリップ・タイムはネットワークを介して調節されて、地上ネットワークＵＥのソフトウェアおよびハードウェアの変更を最小にとどめるようにし、それにより、ＵＥのソフトウェアおよびハードウェアの追加のメンテナンス費用を効果的に避けることができ、ＮＴＮ通信がサポートされる。
【００２４】
更に、最小ラウンド・トリップ・タイムは各ＵＥに対して透明である。本開示の実施形態により、ＵＥは最小ラウンド・トリップ・タイムを知る必要がなくなり、ＮＴＮ  ＵＥのＴＡおよびＫ２は、ネットワーク側アップリンク無線フレームとネットワーク側ダウンリンク無線フレームとのタイミング差を導入することにより、比較的小さくすることができ、これにより、関連するプロトコルの変更を最小にとどめることができ、ＵＥのメンテナンス費用を低減することができる。
【図面の簡単な説明】
【００２５】
【図１】図１は、既存の技術におけるＵＥパラメータ決定方法のシナリオの図である。
【図２】図２は、実施形態に従ったＵＥパラメータ決定方法のフロー・チャートである。
【図３】図３は、実施形態に従ったＵＥパラメータ決定方法のシナリオの図である。
【図４】図４は、実施形態に従ったＵＥパラメータ決定装置の構造図である。
【発明を実施するための形態】
【００２６】
背景において説明したように、既存の技術では、ＴＡは、各ＵＥに対する特定ＴＡ部と、全ＵＥに適用可能な固定ＴＡ部とに分割され、固定ＴＡ部はシステム情報を介して送信される。また、同様に、ＵＬグラント指示のアップリンク・リソースが位置するスロットから、ＵＬグラントが受信されたときのスロットまでの時間（略してＫ２）に関して、似た解決法が適用され得る。しかし、既存のＴＡおよびＫ２の決定方法は、ＴＡおよびＫ２の値を、地上ネットワークで現在定められているＴＡおよびＫ２の範囲を大幅に超えたものとすることになる。
【００２７】
例えば、１５ｋＨｚのサブキャリア間隔の場合には、図１に示すように、ネットワーク基地局（例えば、ｇＮｏｄｅＢ（ｇＮＢ））のフレームのスロット０から、ＵＥがそのフレームを受信する時までの片道伝送遅延は、５ｍｓより長く、ｇＮＢとＵＥとの間のＲＴＴは、１１ｍｓより長い。
【００２８】
アップリンク・タイミング同期を達成するために、ｇＮＢは、ＵＥのためにＴＡをコンフィギュレーションし、それにより、ＵＥは望んだタイム・スロットでアップリンク送信を完了することができる。ＲＴＴを考慮し、ＵＥは、１１ｍｓより長い時間の前にアップリンク・データ送信を行い（即ち、ＴＡは約１１ｍｓの補償を行い）、それにより、ＵＥのアップリンク信号がネットワーク基地局へ到達したときに、ＵＥのアップリンク信号をネットワーク基地局側のアップリンク・フレームと整合させることができる。更に、フレーム１のタイム・スロット０でＵＥにより受信されたＵＬグラントは、フレーム２のタイム・スロット４でＵＥがデータを送信できることを示し、Ｋ２の値は１４タイム・スロットとすべきである。
【００２９】
既存の技術的解決法では、ｇＮＢとＵＥとの間の最小ＲＴＴは、固定ＴＡ部として用いられ、システム情報を介してブロードキャストすることができ、特定ＴＡ部は、ｇＮＢによりタイミング・アドバンス・コマンド（Timing Advance Command）を介して各ＵＥへ通知され得る。同じプロセスがＫ２に対して適用される。同様に、他のサブキャリアの間隔も類推することができるが、ここでは繰り返して説明しない。既存の技術的解決法はプロトコルの変更を必要とする、ということを理解することができる。更に、ＵＥに関して、ＮＴＮ通信をサポートするためには、関連するソフトウェアおよびハードウェアのアップデートをインプリメントすることや、関連する変数を維持することが更に必要とされ、それはソフトウェアおよびハードウェアのメンテナンス費用を増加させる。
【００３０】
本開示の実施形態では、ＵＥパラメータ決定方法が提供され、方法は、セル内の各ＵＥと衛星との間の最小ラウンド・トリップ・タイムを決定することと、最小ラウンド・トリップ・タイムとネットワーク側ダウンリンク無線フレームのフレーム情報とに基づいてネットワーク側アップリンク無線フレームのフレーム情報を決定することとを含み、最小ラウンド・トリップ・タイムは、ネットワーク側アップリンク無線フレームをネットワーク側ダウンリンク無線フレームより遅れさせるタイミング差であり、かつ方法は、ネットワーク側アップリンク無線フレームとネットワーク側ダウンリンク無線フレームとに基づいて各ＵＥのＵＥパラメータを決定することを含み、ＵＥパラメータは、ＴＡとＫ２との少なくとも１つを含む。
【００３１】
本開示の実施形態により、最小ラウンド・トリップ・タイムを、ネットワーク側アップリンク無線フレームをネットワーク側ダウンリンク無線フレームより遅れさせるタイミング差として捉えることができるので、ネットワーク側アップリンク無線フレームを得るようにし、ネットワーク側アップリンク無線フレームに基づいてＴＡおよび／またはＫ２の値を決定するようにする。更に、ＵＥは、ネットワーク側アップリンク無線フレームおよびネットワーク側ダウンリンク無線フレームに基づいてデータの送信および受信を行うことができる。ＮＴＮにおける非常に長いラウンド・トリップ・タイムはネットワークを介して調節されて、地上ネットワークＵＥのソフトウェアおよびハードウェアの変更を最小にとどめるようにし、それにより、ＵＥのソフトウェアおよびハードウェアの追加のメンテナンス費用を効果的に避けることができ、ＮＴＮ通信がサポートされる。
【００３２】
本開示の目的、特徴、および利点を明確にするために、本開示の実施形態を、添付の図面と関連させて詳細に説明する。
【００３３】
図２は、実施形態に従ったＵＥパラメータ決定方法のフロー・チャートである。
【００３４】
ネットワーク側の基地局のタイミング同期を保証するために、ネットワークは、各ＵＥのアップリンク・タイミングを調節することにより、様々な伝送遅延のバランスをとることができ、それにより、各ＵＥのアップリンク信号は基地局へ同期して到達することができる。例えば、基地局から近いＵＥと比べて、基地局から遠いＵＥの送信時間は長いので、基地局から遠いＵＥはアップリンク・データを先に送信する必要がある。先に送信する際のタイミングは、基地局により計算され、ＵＥへ通知される。具体的には、基地局は、各ＵＥに関してＴＡをコンフィギュレーションし、それをＵＥへ送信することができ、ＵＥは、そのＴＡに基づいてアップリンク・データの送信のタイミングを調節し、それにより基地局側でのタイミング同期を実現する。ＮＴＮ通信では、基地局とＵＥとの間のＲＴＴが、地上ネットワーク通信での基地局とＵＥとの間のＲＴＴよりもかなり長いので、ＴＡおよび／またはＫ２の値の範囲は、現在定めている値の範囲を大きく超える。
【００３５】
従って、本開示の実施形態は、Ｓ１０１、Ｓ１０２、およびＳ１０３を含むＵＥパラメータ決定方法を提供する。
【００３６】
Ｓ１０１において、セル内の各ＵＥと衛星との間の最小ラウンド・トリップ・タイムが決定される。
【００３７】
Ｓ１０２において、最小ラウンド・トリップ・タイムとネットワーク側ダウンリンク無線フレームのフレーム情報とに基づいて、ネットワーク側アップリンク無線フレームのフレーム情報が決定され、最小ラウンド・トリップ・タイムは、ネットワーク側アップリンク無線フレームをネットワーク側ダウンリンク無線フレームより遅れさせるタイミング差である。
【００３８】
Ｓ１０３において、ネットワーク側アップリンク無線フレームとネットワーク側ダウンリンク無線フレームとに基づいて各ＵＥのＵＥパラメータが決定され、ＵＥパラメータはＴＡとＫ２との少なくとも１つを含む。具体的には、各ＵＥのＵＥパラメータは、ネットワーク側アップリンク無線フレームのタイミングおよびネットワーク側ダウンリンク無線フレームのタイミングに基づいて決定することができる。
【００３９】
幾つかの実施形態では、Ｓ１０１において、ＮＴＮ基地局は、セル内の各ＵＥと衛星との間のラウンド・トリップ・タイムを決定することができ、基地局とＵＥとの間の最小ラウンド・トリップ・タイムを得るようにすることができる。
【００４０】
幾つか実施形態では、ＮＴＮ基地局は、衛星の高度に基づいて、セル内の各ＵＥと衛星との間のラウンド・トリップ・タイムを決定することができる。例えば、各ＵＥと衛星との間のラウンド・トリップ・タイムを比較して、最小ラウンド・トリップ・タイムを求める。好適には、ＮＴＮ基地局は、特定のＵＥが衛星に最も近い地上平面位置にあると仮定し、その特定のＵＥと衛星との間のラウンド・トリップ・タイムを最小ラウンド・トリップ・タイムに決定することができる。
【００４１】
Ｓ１０２において、ＮＴＮ基地局は、最小ラウンド・トリップ・タイムとネットワーク側ダウンリンク無線フレームのフレーム情報とに基づいて、ネットワーク側アップリンク無線フレームのフレーム情報を決定することができる。当業者には理解できるように、地上ネットワークに関しては、ネットワークは、ネットワーク側ダウンリンク無線フレームとネットワーク側アップリンク無線フレームとを区別せず、単に、ネットワーク側無線フレームを、データの送信および受信のための基準として用いる。
【００４２】
ＮＴＮ通信では、基地局は、ネットワーク側についてのネットワーク側ダウンリンク無線フレームおよびネットワーク側アップリンク無線フレームを決定することができる。ネットワーク側ダウンリンク無線フレームとネットワーク側アップリンク無線フレームとのフレーム情報は異なり得る。ネットワーク側アップリンク無線フレームは、ネットワーク側ダウンリンク無線フレームより遅れる。
【００４３】
具体的には、ＮＴＮ基地局のアップリンクのタイミングとダウンリンクのタイミングとは異なり、ネットワーク側アップリンク無線フレームのフレーム情報は、最小ラウンド・トリップ・タイムとネットワーク側ダウンリンク無線フレームのフレーム情報とに基づいて決定することができる。フレーム情報は、フレーム番号、タイム・スロット番号、サブフレーム番号のインデックス情報、無線フレームに含まれるタイム・スロットの数などの、１以上の情報を含むことができる。当業者には理解できるように、実際の応用では、ＮＴＮ基地局において、ネットワーク側アップリンク無線フレームのフレーム情報は、特定の応用における変更に応じて変更され得るが、ここでは、これについて詳細に説明しない。
【００４４】
幾つかの実施形態では、ネットワーク側アップリンク無線フレームがネットワーク側ダウンリンク無線フレームに遅れるタイミング差は、最小ラウンド・トリップ・タイムであり得る。ネットワーク側ダウンリンク無線フレームのフレーム情報が決定された後、最小ラウンド・トリップ・タイムが遅延され、ネットワーク側アップリンク無線フレームのフレーム情報を得るようにする。
【００４５】
幾つかの実施形態では、ネットワーク側に関して、ネットワーク側のアップリンク無線フレームとダウンリンク無線フレームとは異なるタイミングを有する。特定の時点について、無線フレームのタイム・スロットを例とすると、その時点でのネットワーク側ダウンリンク無線フレームのフレーム番号は、ネットワーク側アップリンク無線フレームのフレーム番号とは異なり得るものであり、また、ネットワーク側ダウンリンク無線フレームにおけるタイム・スロット番号も、ネットワーク側アップリンク無線フレームにおけるタイム・スロット番号と異なり得る。
【００４６】
ネットワーク側アップリンク無線フレームとネットワーク側ダウンリンク無線フレームとのフレーム番号およびタイム・スロット番号は異なり得る。図３に示すように、１５ｋＨｚを例とすると、各フレームは、タイム・スロット０からタイム・スロット９までの１０のタイム・スロットを含む。ｇＮＢは、フレーム１のタイム・スロット０でＵＬグラントを送信して、ＵＥがフレーム１のタイム・スロット３でアップリンク送信を行うように命令し、ここにおいて、Ｋ２は、３タイム・スロットであり、ネットワーク側ダウンリンク無線フレームとネットワーク側アップリンク無線フレームとに基づいて決定される。ネットワーク側アップリンク無線フレームのタイミングは、ネットワーク側ダウンリンク無線フレームのタイミングより遅れ、遅れ時間は、最小ラウンド・トリップ・タイムであり得るか、またはタイム・スロットについて切り下げした結果であり得る。
【００４７】
代替的には、特定の時点について、無線フレームのサブフレームを例とすると、その時点でのネットワーク側アップリンク無線フレームとネットワーク側ダウンリンク無線フレームとのフレーム番号は異なり得るものであり、また、ネットワーク側ダウンリンク無線フレームにおけるサブフレーム番号も、ネットワーク側アップリンク無線フレームにおけるサブフレーム番号と異なり得る。
【００４８】
更に、最小ＲＴＴは、タイム・スロットで計数することができる。一般に、各タイム・スロットの期間は１ｍｓである。当業者には理解できるように、最小ＲＴＴは、タイム・スロットについて切り下げすることにより得られ、ネットワーク側アップリンク無線フレームが決定される。代替的には、最小ＲＴＴは、サブフレームで計数することができる。当業者には理解できるように、最小ＲＴＴは、サブフレームについて切り下げすることにより得られ、ネットワーク側アップリンク無線フレームが決定される。
【００４９】
更に、ＮＴＮ基地局は、既存の計算方法に基づいて、小さいタイム・スロットまたはサブフレームを用いてＴＡ値を決定することができ、そのＴＡ値をＵＥへ通知することができる。簡潔にするために、ここでは特定の計算プロセスについて説明しない。
【００５０】
更に、Ｓ１０３において、ＮＴＮ基地局のアップリンクとダウンリンクとのタイミング差は、ＮＴＮ  ＵＥに対して透明である。即ち、ＵＥは、ＮＴＮ基地局のアップリンクとダウンリンクとのタイミングに差が存在することを、知る必要がない。
【００５１】
具体的には、ＮＴＮ基地局は、ＴＡを計算するために、ＵＬにより送信されたアップリンク信号、ネットワーク側アップリンク無線フレーム、およびネットワーク側ダウンリンク無線フレームを用いる。幾つかの実施形態では、ＮＴＮ基地局は、ＵＥがランダム・アクセスを行うときに、受信したランダム・アクセス・プリアンブル（random access preamble）を測定することにより、ＴＡの値を決定することができる。ＵＥのＴＡを決定するとき、ＮＴＮ基地局は、ネットワーク側アップリンク無線フレームに基づいてそれを計算する、即ち、ＮＴＮ基地局がＴＡを計算するとき、最小ラウンド・トリップ・タイム（即ち、ネットワーク側アップリンク無線フレームをネットワーク側ダウンリンク無線フレームより遅れさせるタイミング差）が演繹される。一般に、タイミング差を演繹した後、ＮＴＮ基地局は、測定したランダム・アクセス・プリアンブルに基づいてＴＡを計算することができる。このように、計算されたＴＡ値は比較的小さく、従って、既存のプロトコルの変更を最小限にする。
【００５２】
当業者には理解できるように、ＮＴＮネットワークに関して、Ｋ２を決定するステップは、ＴＡを決定するステップと同様である。ＵＥについてのＵＬスケジューリングを行うとき、ＮＴＮ基地局は、最小ラウンド・トリップ・タイムを控除することができる。具体的には、ＮＴＮ基地局は、ネットワーク側アップリンク無線フレームをネットワーク側ダウンリンク無線フレームより遅れさせるタイミング差を演繹した後に、Ｋ２の値を計算することができるが、ここでは特定の計算プロセスについて説明しない。
【００５３】
その後、ＮＴＮ基地局は、計算の結果（即ち、決定したＴＡ）を、タイミング・アドバンス・コマンド（Timing Advance Command）を介してＵＥへ送信することができる。一般に、ＮＴＮ基地局は、計算の結果を、ランダム・アクセス・レスポンス（random access response）のタイミング・アドバンス・コマンドを介してＵＥへ送信することができる。
【００５４】
上記から、本開示の実施形態により提供される技術的解決法を用いると、ＵＥ側のプロトコルを変更せずに、ＵＥに関して、ＮＴＮネットワークのＵＥパラメータであるＴＡおよび／またはＫ２を決定することができる。更に、ＵＬ側の関連するプロトコルの変更を最小限にすることができ、これは、ＵＥのメンテナンス費用を低減する。
【００５５】
図４は、実施形態に従ったＵＥパラメータ決定装置の構造図である。ＵＥパラメータ決定装置４は、図２および図３に示すＵＥパラメータ決定方法の技術的解決法をインプリメントするために用いることができ、ネットワーク側、例えば、ＮＴＮ基地局（例えば、５Ｇ  ｇＮＢ）に適用されることができる。
【００５６】
具体的には、ＵＥパラメータ決定装置４は、第１決定回路４１、第２決定回路４２、および第３決定回路４３を含むことができる。
【００５７】
第１決定回路４１は、セル内の各ＵＥと衛星との間の最小ラウンド・トリップ・タイムを決定するように構成され、第２決定回路４２は、最小ラウンド・トリップ・タイムとネットワーク側ダウンリンク無線フレームのフレーム情報とに基づいてネットワーク側アップリンク無線フレームのフレーム情報を決定するように構成され、最小ラウンド・トリップ・タイムは、ネットワーク側アップリンク無線フレームをネットワーク側ダウンリンク無線フレームより遅れさせるタイミング差であり、第３決定回路４３は、ネットワーク側アップリンク無線フレームとネットワーク側ダウンリンク無線フレームとに基づいて各ＵＥのＵＥパラメータを決定するように構成され、ＵＥパラメータはＴＡとＫ２との少なくとも１つを含む。
【００５８】
幾つかの実施形態では、第１決定回路４１は決定サブ回路４１１を含む。
【００５９】
決定サブ回路４１１は、セル内の各ＵＥと衛星との間の最小ラウンド・トリップ・タイムを、衛星の高度に基づいて決定するように構成される。
【００６０】
幾つかの実施形態では、最小ラウンド・トリップ・タイムは、タイム・スロットにより計数され、タイム・スロットについて切り下げすることにより得られるか、または、最小ラウンド・トリップ・タイムは、サブフレームにより計数され、サブフレームについて切り下げすることにより得られる。
【００６１】
幾つかの実施形態では、最小ラウンド・トリップ・タイムは各ＵＥに対して透明である。
【００６２】
幾つかの実施形態では、ＵＥパラメータはＴＡであり、第３決定回路４３は、受信サブ回路４３１と第１計算サブ回路４３２とを含む。
【００６３】
受信サブ回路４３１は、各ＵＥからアップリンク信号を受信するように構成され、第１計算サブ回路４３２は、アップリンク信号と、ネットワーク側ダウンリンク無線フレームと、ネットワーク側アップリンク無線フレームとに基づいて各ＵＥのＴＡを計算するように構成される。
【００６４】
代替的に、ＵＥパラメータはＫ２であり、第３決定回路４３は、第２計算サブ回路４３３を含む。第２計算サブ回路４３３は、各ＵＥについてアップリンク・スケジューリングを行うときに、ネットワーク側アップリンク無線フレームとネットワーク側ダウンリンク無線フレームとに基づいて各ＵＥのＫ２を計算するように構成される。
【００６５】
ＵＥパラメータ決定装置４の動作原理および動作モードの更なる詳細は、図２および図３の上記の説明で見つけることができるので、ここでは説明しない。
【００６６】
本開示の実施形態では、コンピュータ命令が格納された記録媒体が提供され、コンピュータ命令が実行されると、図２および図３に示した前記ＵＥパラメータ決定方法が行われる。幾つかの実施形態では、記録媒体は、不揮発性または非一時的メモリなどのような、コンピュータ読み取り可能な記録媒体を含む。コンピュータ読み取り可能な記録媒体は、リード・オンリ・メモリ（ＲＯＭ）、ランダム・アクセス・メモリ（ＲＡＭ）、磁気ディスク、または光ディスクを含むことができる。
【００６７】
本開示の実施形態では、メモリとプロセッサとを含む基地局が提供され、メモリにはコンピュータ命令が記憶され、プロセッサがコンピュータ命令を実行したときに、図２および図３に示した前記ＵＥパラメータ決定方法が行われる。幾つかの実施形態では、基地局は衛星基地局とすることができる。
【００６８】
上記では、本開示について好適な実施形態を参照して説明したが、本開示を単に例を用いて示したものであり、限定を示すものではないことを、理解すべきである。当業者は、本開示の精神および範囲を逸脱せずに、実施形態を変更および改造することができる。
【国際調査報告】
2021536691.tif 000009
2021536691.tif 000010
2021536691.tif 000011
2021536691.tif 000012